(57)【要約】  【課題】デジタルテレビ等から、利用者が好みのコンテンツを携帯電話等にダウンロードして待受け画面や着信メロディ等として利用するような場合において、個人で利用する場合には問題ないが、個人がそのようなコンテンツを他の不特定多数の利用者等にメール等により転送することは容易であり、このような行為は著作権等の法的な問題が生じる場合がある。  【解決手段】本発明のコンテンツ利用システムは、コンテンツを受信する機能を有する携帯通信端末と、コンテンツに付加されている付加情報により利用者が取得したコンテンツを特定し、特定したコンテンツを利用させるための許可情報を取得させる機能を有するサービスサーバ装置とから構成される。また、放送局等からコンテンツを受信して再生し、携帯通信端末で利用するコンテンツを特定する機能を有するコンテンツ出力装置をさらに含んでいてもよい。【選択図】  図１
2006121539.tif 000002
【特許請求の範囲】
【請求項１】
第一携帯端末装置と、前記第一携帯端末装置とネットワークを通じて接続される第一サービスサーバ装置とからなるコンテンツ利用システムであって、
前記第一携帯端末装置は、
コンテンツ情報を受信する第一コンテンツ情報受信部と、
前記コンテンツ情報に基づいてサービス利用要求情報を出力する第一サービス利用要求情報出力部と、
前記サービス利用要求情報に応答して返信されるサービス可能化情報に基づいて所定のサービスを実行する第一サービス処理実行部とを有し、
前記第一サービスサーバ装置は、
前記サービス利用要求情報に応答して前記サービス可能化情報を返信するサービス可能化情報返信部を有することを特徴とするコンテンツ利用システム。
【請求項２】
前記第一携帯端末装置とネットワークを通じて接続されるコンテンツ出力装置を備え、
前記コンテンツ出力装置は、
前記第一携帯端末装置からの要求に応じて前記コンテンツ情報を前記第一携帯端末装置に出力する携帯端末用情報出力部を有することを特徴とする請求項１に記載のコンテンツ利用システム。
【請求項３】
前記携帯端末用情報出力部は、前記コンテンツ情報として、コンテンツ信号及び／又は前記コンテンツ信号に同期するコンテンツ識別情報を出力することを特徴とする請求項２記載のコンテンツ利用システム。
【請求項４】
前記第一携帯端末装置は、
前記コンテンツ情報に含まれるコンテンツ信号を再生出力する第一出力部を有することを特徴とする請求項１に記載のコンテンツ利用システム。
【請求項５】
前記第一サービスサーバ装置は、
前記サービス利用要求情報に基づいて課金のための処理を行う課金処理部を有し、
前記サービス可能化情報返信部は、前記課金処理部での課金のための処理が行われたことを条件として前記サービス可能化情報を返信することを特徴とする請求項１に記載のコンテンツ利用システム。
【請求項６】
前記第一サービス利用要求情報出力部は、前記サービス利用要求情報に第一携帯端末装置自身を識別するための情報である携帯端末識別情報を含ませることを特徴とする請求項１に記載のコンテンツ利用システム。
【請求項７】
前記サービス可能化情報返信部は、前記サービス可能化情報に所定のサービスを実行するために用いられるコンテンツ信号を含ませることを特徴とする請求項１に記載のコンテンツ利用システム。
【請求項８】
前記第一サービス利用要求情報出力部は、前記サービス利用要求情報に前記第一出力部によって再生出力されるコンテンツ信号に同期するコンテンツ識別情報を含ませ、
前記サービス可能化情報返信部は、前記サービス利用要求情報に含まれる前記コンテンツ識別情報に基づき特定されるコンテンツ信号と時間的に近いコンテンツ信号を、所定のサービスを実行するために用いられるコンテンツ信号として前記サービス可能化情報に含ませることを特徴とする請求項４に記載のコンテンツ利用システム。
【請求項９】
第二サービスサーバ装置とネットワークを通じて接続される第二携帯端末装置であって、
コンテンツ情報を受信する第二コンテンツ情報受信部と、
前記コンテンツ情報に含まれるコンテンツ信号を再生出力する第二出力部と、
前記コンテンツ情報に含まれるコンテンツ識別情報に基づいて前記第二サービスサーバ装置に対してサービス利用要求情報を出力する第二サービス利用要求情報出力部と、
前記サービス利用要求情報に応答して返信されたサービス可能化情報に基づいて所定のサービスを実行する第二サービス処理実行部とを有することを特徴とする第二携帯端末装置。
【請求項１０】
コンテンツ情報を受信するコンテンツ受信ステップと、
前記コンテンツ情報に基づいてサービス利用要求情報を出力する第一サービス利用要求情報出力ステップと、
前記サービス利用要求情報に応答して前記サービス可能化情報を返信するサービス可能化情報返信ステップと、
前記サービス利用要求情報に応答して返信されるサービス可能化情報に基づいて所定のサービスを実行する第一サービス処理実行ステップと、
を含むコンテンツ利用方法。
【請求項１１】
コンテンツを放送により受信するステップと、
前記受信されたコンテンツのコンテンツ情報の出力を要求するコンテンツ情報出力要求ステップと、
前記コンテンツ情報出力要求ステップでのコンテンツ情報出力要求に応じてコンテンツ情報を出力するコンテンツ情報出力ステップと、
前記コンテンツ情報出力ステップにて出力されたコンテンツ情報を受信するコンテンツ受信ステップと、
前記コンテンツ情報に基づいてサービス利用要求情報を出力する第一サービス利用要求情報出力ステップと、
前記サービス利用要求情報に応答して前記サービス可能化情報を返信するサービス可能化情報返信ステップと、
前記サービス利用要求情報に応答して返信されるサービス可能化情報に基づいて所定のサービスを実行する第一サービス処理実行ステップと、
を含むコンテンツ利用方法。
【発明の詳細な説明】
【技術分野】
【０００１】
本発明は、コンテンツを受信し、受信したコンテンツを携帯電話等の待受け画面に設定する等のサービスに利用することが可能なコンテンツ利用システムに関する。
【背景技術】
【０００２】
近年の携帯電話等においては、コンテンツ事業者が提供する無償又は有償の画像や音声をダウンロードし、待受け画面や着信メロディとして設定することができるようなサービスが行われている。しかし、携帯電話等の利用者が待受け画面や着信メロディとしてダウンロードできるコンテンツは、コンテンツ事業者等が指定したコンテンツであるので画一的であり、利用者の好みのコンテンツではないような場合も多い。このような問題を解決するための手段として、特許文献１においては、テレビやＤＶＤプレーヤー等の映像を出力する機能を有するＡＶ機器から、利用者が好みのコンテンツを携帯電話に転送させて待受け画面や着信メロディとして設定することが可能なシステムを提案している。
【特許文献１】特開２００２−２４７１８５号公報
【発明の開示】
【発明が解決しようとする課題】
【０００３】
特許文献１のようなシステムによって映像を自由に待受け画面や着信メロディとして利用することは、個人で利用する場合には法的にも問題はない。しかしながら、コンテンツは携帯電話にデータとして保存されるので、保存したデータを他の不特定多数の利用者等にメール等により転送することは容易である。このような行為は著作権の侵害等に該当する場合もあり、そのような場合には法的にも問題が生じる。
【課題を解決するための手段】
【０００４】
本発明では、この課題を解決するために、コンテンツを受信する機能を有する携帯通信端末と、コンテンツに付加されている付加情報により利用者が取得したコンテンツを特定し、特定したコンテンツを利用させるための許可情報を取得させる機能を有するサービスサーバ装置とから構成されるコンテンツ利用システムを提案する。すなわち、本発明のコンテンツ利用システムにおいては、携帯電話等の利用者がコンテンツを受信しただけでは利用することができず、別途コンテンツに関する情報を管理するサービスサーバ装置から許可情報を取得することでコンテンツを利用することが可能となるような場合を想定している。また、コンテンツ利用システムには、放送局等からコンテンツを受信して再生し、携帯通信端末にコンテンツを送信する機能を有するコンテンツ出力装置をさらに含んでいてもよい。また、付加情報とは、例えば蓄積型放送等におけるメタデータなどを想定している。
【０００５】
図１に本発明に係るコンテンツ利用システムの概念構成を示す。（Ａ）は、携帯電話等の携帯端末装置（０１１０）とコンテンツに関する情報を管理する装置であるサービスサーバ装置（０１２０）とから構成される場合を示す。携帯端末装置（０１１０）とサービスサーバ装置（０１２０）はネットワークによって接続されている。このような場合、携帯端末装置（０１１０）は直接、放送局等からコンテンツを受信する。（Ｂ）は、携帯端末装置（０１１０）とサービスサーバ装置（０１２０）に加えて、コンテンツを受信し再生するコンテンツ出力装置（０１３０）とから構成される場合を示す。携帯端末装置（０１１０）とコンテンツ出力装置（０１３０）はネットワークによって接続されている。このような場合、コンテンツ出力装置（０１３０）が放送局等からコンテンツを受信、再生等を行い、携帯端末装置（０１１０）はコンテンツ出力装置（０１３０）からコンテンツを受信する。
【発明の効果】
【０００６】
以上のように、本発明に係るコンテンツ利用システムにおいては、携帯通信端末によって取得されたコンテンツを付加情報により特定し、特定したコンテンツを利用するための許可情報を携帯通信端末に取得させる機能を有するため、コンテンツの権利保有者は利用者が取得したコンテンツの利用を制限することができる。またサービスサーバ装置ではメタデータ等の付加情報によって利用者が取得したコンテンツを特定するので、同時に課金に関する処理を行うことも可能である。また、付加情報により直接的に特定されるコンテンツのみではなく、間接的に特定されるコンテンツを携帯電話等に配信することも可能である。間接的に特定されるコンテンツとは、例えば、放送で受信したアイドルの歌唱シーンを直接的に特定し、間接的に特定されるその前後のステージ挨拶シーンのコンテンツなどが該当する。
【発明を実施するための最良の形態】
【０００７】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、６、７、１０などについて説明する。実施形態２は、主に請求項２、３、１１などについて説明する。実施形態３は、主に請求項４などについて説明する。実施形態４は、主に請求項５などについて説明する。実施形態５は、主に請求項８などについて説明する。実施形態６は、主に請求項９などについて説明する。
【０００８】
（実施形態１）（実施形態１：概要）本実施形態は、携帯端末装置においてコンテンツ情報を受信し、受信したコンテンツ情報によりサービスを実行するコンテンツ利用システムに関する。本実施形態に係るコンテンツ利用システムは、第一携帯端末装置と第一サービスサーバ装置とから構成される。前記第一携帯端末装置は、コンテンツ情報を受信し、受信したコンテンツ情報によりサービスを実行可能とする情報を取得するための機能を有する。また、前記第一サービスサーバ装置は、前記第一携帯端末装置にてサービスを実行可能とする情報を前記第一携帯端末装置に送信する機能を有する。
【０００９】
（実施形態１：構成）本実施形態に係るコンテンツ利用システムの機能ブロックを図２に例示する。コンテンツ利用システムは、第一携帯端末装置（０２１０）と、第一サービスサーバ装置（０２２０）とからなる。前記第一携帯端末装置（０２１０）と前記第一サービスサーバ装置（０２２０）は、ネットワークによって接続されている。ネットワークは無線でもよいし、有線でもよい。また、情報を送受信する際に直接に送受信しなくとも中継されてもよい。また、前記第一携帯端末装置（０２１０）は、具体的には、主に携帯電話を想定しているが、ＰＤＡ（Ｐｅｒｓｏｎａｌ  Ｄｉｇｉｔａｌ  Ａｓｓｉｓｔａｎｃｅ）のように携帯可能な端末であればよい。前記第一携帯端末装置（０２１０）は、「第一コンテンツ情報受信部」（０２１１）と、「第一サービス利用要求情報出力部」（０２１２）と、「第一サービス処理実行部」（０２１３）を有する。
【００１０】
「第一コンテンツ情報受信部」（０２１１）は、コンテンツ情報を受信する機能を有する。「コンテンツ」とは、映像、音声、文字情報、アプリケーションプログラム等を意味し、コンテンツ信号により実現される。例えば、放送番組の全体であってもいいし、一部であってもよい。また、楽曲全体であってもいいし、一部であってもよい。「コンテンツ情報」とは、コンテンツ事業者等が提供する映像、音声等のコンテンツ信号や、コンテンツ信号に関する属性情報（以下、コンテンツ識別情報という）を意味する。「コンテンツ識別情報」とは、例えば、蓄積型放送ではコンテンツ信号にメタデータと呼ばれるコンテンツの属性情報を付加して配信することが予定されているがそのような属性情報でもよいし、コンテンツを識別するためのコンテンツＩＤ等であってもよい。コンテンツ情報はコンテンツ信号のみを含んでいてもよいし、コンテンツ識別情報のみを含んでいてもよい。また、コンテンツ信号とコンテンツ識別情報の両方を含んでいてもよい。コンテンツ情報がコンテンツ識別情報のみを含む場合は、後述する「第一サービス処理実行部」（０２１３）にて取得するサービス可能化情報に、受信するだけで利用可能なコンテンツ信号が含まれるようになっていればよい。また、コンテンツ信号に含まれる映像は静止画であってもよいし、動画であってもよい。また、コンテンツ情報は主にデジタル放送波によって配信されることを想定しているが、これに限定されるわけではない。また、コンテンツ情報の受信は無線によってもよいし、有線によってもよい。Ｂｌｕｅｔｏｏｔｈ（登録商標）、赤外線等の短距離用通信方法によってもよい。また、公衆回線を介しての通信、ホームネットワーク等のＬＡＮ（Ｌｏｃａｌ  Ａｒｅａ  Ｎｅｔｗｏｒｋ）を介しての通信であってもよい。また、第一コンテンツ情報受信部にコンテンツを送信する送信元は、放送局等のコンテンツ提供者や、放送局等からコンテンツを受信して再生等している装置等（例えば、デジタルテレビ、ＤＶＤプレーヤー、ビデオテープレコーダー等）が想定される。
【００１１】
「第一サービス利用要求情報出力部」（０２１２）は、前記コンテンツ情報に基づいてサービス利用要求情報を出力する機能を有する。「サービス利用要求情報」とは、前記第一携帯端末装置（０２１０）においてサービスを実行可能とする情報であるサービス可能化情報を要求するための情報である。本実施形態に係るコンテンツ利用システムは、前記第一携帯端末装置（０２１０）が放送局等からコンテンツ信号を受信しただけではサービスを実行できない場合を想定しているので、前記第一コンテンツ情報受信部（０２１１）で受信したコンテンツ情報を利用するサービスを実行するために、別途、サービス可能化情報を取得する必要がある。サービス可能化情報の詳細については、後述する。また、前記サービス利用要求情報には、前記第一携帯端末装置（０２１０）を識別するための情報である携帯端末識別情報が含まれる。なぜなら、前記サービス利用要求情報に対する返信であるサービス可能化情報の返信先を前記サービスサーバ装置（０２２０）に知らせる必要があるからである。「サービス」とは、受信したコンテンツ情報により実行されるものであり、具体的には、アプリケーションプログラムの実行、文字情報の表示、受信した画像や音声を携帯電話の待受け画面や着信メロディに設定すること等を意味する。
【００１２】
「第一サービス処理実行部」（０２１３）は、前記サービス利用要求情報に応答して返信されるサービス可能化情報に基づいて所定のサービスを実行する機能を有する。サービス可能化情報の具体的な内容は、前記第一サービス利用要求情報出力部（０２１２）から出力されるサービス利用要求情報の内容にも依存するが、サービスを可能とするコンテンツを特定するための情報、前記第一コンテンツ情報受信部（０２１１）にて受信されるコンテンツ情報に含まれるコンテンツ信号により実現されるコンテンツの使用を許可するための許可情報（例えば、暗号化されたコンテンツを解読するための解読キー等）や、受信するだけで利用可能なコンテンツ信号であることが考えられる。
【００１３】
また、前記第一サービスサーバ装置（０２２０）は、「サービス可能化情報返信部」（０２２１）を有する。
【００１４】
「サービス可能化情報返信部」（０２２１）は、前記サービス利用要求情報に応答して前記サービス可能化情報を返信する機能を有する。「サービス利用要求情報に応答して」とは、前記第一携帯端末装置（０２１０）の前記第一サービス利用要求情報出力部（０２１２）から送信されるサービス利用要求情報を受信し、受信したサービス利用要求情報の内容によってサービスを利用可能とするために必要な情報を返信する、という意味である。例えば、前記第一携帯端末装置（０２１０）がコンテンツ信号をすでに受信しているならばコンテンツ信号を待受け画面に設定するための許可情報のみを返信するような場合が考えられる。また、前記第一携帯端末装置（０２１０）がコンテンツ識別情報のみを受信しコンテンツ信号を保持していないならば、受信するだけで利用可能なコンテンツ信号を返信するような場合が想定される。
【００１５】
図３は、コンテンツ情報、サービス利用要求情報、サービス可能化情報の組み合わせを例示する。（Ａ）は、第一携帯端末装置がコンテンツ情報として、蓄積型放送のメタデータのみを前記第一コンテンツ情報受信部（０２１１）にて受信した場合である。第一携帯端末装置は、サービス利用要求情報として受信したコンテンツ識別情報であるメタデータ（もしくは番組情報等、メタデータの一部）と携帯端末識別情報である携帯端末ＩＤを第一サービスサーバ装置に、前記第一サービス利用要求情報出力部（０２１２）から送信する。第一サービスサーバ装置は、第一携帯端末装置から送信されたメタデータと携帯端末ＩＤを受信する。受信したメタデータよりコンテンツを特定し、サービス可能化情報として、受信するだけで利用可能なコンテンツ信号を携帯端末ＩＤで特定される第一携帯端末装置に対して前記サービス可能化情報返信部（０２２１）から送信する。第一携帯端末装置は、第一サービスサーバ装置から送信された受信するだけで利用可能なコンテンツ信号を受信してサービスを実行する。（Ｂ）は、第一携帯端末装置がコンテンツ情報として、蓄積型放送のコンテンツ信号（受信するだけでは利用不可）とメタデータを前記第一コンテンツ情報受信部（０２１１）にて受信した場合である。第一携帯端末装置は、サービス利用要求情報として受信したメタデータ（もしくは番組情報等、メタデータの一部）と携帯端末ＩＤを第一サービスサーバ装置に、前記第一サービス利用要求情報出力部（０２１２）から送信する。第一サービスサーバ装置は、第一携帯端末装置から送信されたメタデータと携帯端末ＩＤを受信する。受信したメタデータよりコンテンツを特定し、サービス可能化情報として、コンテンツ信号を利用するための許可情報を携帯端末ＩＤで特定される携帯端末装置に対して前記サービス可能化情報返信部（０２２１）から送信する。
【００１６】
図４は、図３（Ａ）の場合のコンテンツ情報、サービス利用要求情報、サービス可能化情報の具体例を示す。第一携帯端末装置がコンテンツ情報として受信したメタデータが、コンテンツを識別するためのコンテンツＩＤが「２７３１９５」、番組名が「ＸＸＸＸドラマ」、出演者が「俳優Ａ」という内容であったとする。第一携帯端末装置は受信したメタデータの一部としてコンテンツＩＤ「２７３１９５」と自身の携帯端末ＩＤ「Ａ４２８８１」を第一サービスサーバ装置に送信する。第一サービスサーバ装置ではコンテンツに関する情報を管理しており、例えば、コンテンツＤＢにそれらの情報が保存されているとする。コンテンツＤＢから受信したコンテンツＩＤによりコンテンツを特定し、受信するだけで利用可能な「ＸＸＸＸドラマ」のコンテンツ信号を抽出し、携帯端末ＩＤ「Ａ４２８８１」で特定される第一携帯端末装置に送信する。第一携帯端末装置では受信した利用可能なコンテンツ信号によりサービスを実行することが可能となる。
【００１７】
図５は、図３（Ｂ）の場合のコンテンツ情報、サービス利用要求情報、サービス可能化情報の具体例を示す。第一携帯端末装置がコンテンツ情報として受信するだけでは利用不可な「ＸＸＸＸドラマ」のコンテンツ信号と「コンテンツＩＤ：２７３１９５、番組名：ＸＸＸＸドラマ、出演者：俳優Ａ」という内容のメタデータを受信したとする。第一携帯端末装置は受信したメタデータの一部としてコンテンツＩＤ「２７３１９５」と自身の携帯端末ＩＤ「Ａ４２８８１」を第一サービスサーバ装置に送信する。第一サービスサーバ装置ではコンテンツに関する情報を管理しており、例えば、コンテンツＤＢにそれらの情報が保存されているとする。コンテンツＤＢから受信したコンテンツＩＤによりコンテンツを特定し、すでに第一携帯端末装置にて受信されている「ＸＸＸＸドラマ」のコンテンツ信号を使用可能とするためのコンテンツ使用許可キー「ＧｗｘＰｚＫ」を抽出し、携帯端末ＩＤ「Ａ４２８８１」で特定される第一携帯端末装置に送信する。第一携帯端末装置では受信した使用許可キーにより、すでに受信している「ＸＸＸＸドラマ」のコンテンツ信号を利用してサービスを実行することが可能となる。
【００１８】
図６は、詳細な機能ブロックを例示する。第一携帯端末装置（０６１０）の０６１１から０６１３は図２の０２１１から０２１３と同様である。また、第一サービスサーバ装置（０６２０）の０６２１は図２の０２２１と同様である。第一携帯端末装置（０６１０）の第一サービス利用要求情報出力部（０６１２）は、「サービス利用要求情報生成手段」（０６１４）と「サービス利用要求情報送信手段」（０６１５）を含んでいてもよい。「サービス利用要求情報生成手段」（０６１４）は、第一コンテンツ情報受信部（０６１１）にて受信されるコンテンツ情報に基づいてサービス利用要求情報を生成する機能を有する。例えば、図４において受信したメタデータの一部であるコンテンツＩＤと携帯端末ＩＤを関連付けてサービス利用要求情報とするような機能である。「サービス利用要求情報送信手段」（０６１５）は、前記サービス利用要求情報生成手段（０６１４）において生成されるサービス利用要求情報を送信する機能を有する。また、第一サービスサーバ装置（０６２０）のサービス可能化情報返信部（０６２１）は、「サービス利用要求情報受信手段」（０６２２）と「サービス可能化情報生成手段」（０６２３）と「サービス可能化情報送信手段」（０６２４）を含んでいてもよい。「サービス利用要求情報受信手段」（０６２２）は、前記サービス利用要求情報送信手段（０６１５）から送信されるサービス利用要求情報を受信する機能を有する。「サービス可能化情報生成手段」（０６２３）は、前記サービス利用要求情報受信手段（０６２２）において受信されるサービス利用要求情報に基づいてサービス可能化情報を生成する機能を有する。例えば、図４において受信したコンテンツＩＤから特定されるコンテンツのコンテンツ信号を含むサービス可能化情報を生成するような機能である。「サービス可能化情報送信手段」（０６２４）は、前記サービス可能化情報生成手段（０６２３）において生成されるサービス可能化情報を送信する機能を有する。また、第一携帯端末装置（０６１０）の第一サービス処理実行部（０６１３）は、「サービス可能化情報受信手段」（０６１６）と「サービス処理実行手段」（０６１７）を含んでいてもよい。「サービス可能化情報受信手段」（０６１６）は、前記サービス可能化情報送信手段（０６２４）から送信されるサービス可能化情報を受信する機能を有する。「サービス処理実行手段」（０６１７）は、前記サービス可能化情報受信手段（０６１６）において受信されるサービス可能化情報を利用してサービスを実行する機能を有する。例えば、図４において受信したコンテンツ信号から携帯端末の待受け画面を設定するような機能である。また、第一携帯端末装置（０６１０）は「要求情報出力部」（０６１８）を含んでいてもよい。「要求情報出力部」（０６１８）は、自身又は外部にコンテンツ情報の出力を要求するための要求情報を出力する機能を有する。このような機能があれば、第一携帯端末装置の利用者等がコンテンツ情報を受信したい時にのみコンテンツ情報を受信することができる。例えば、コンテンツを再生している自身又は外部の装置に対して、ダウンロードしたいコンテンツが再生された瞬間に携帯端末装置のボタンを押下すると、コンテンツ情報は放送に含まれているのでボタンを押下された瞬間のコンテンツがコンテンツ情報として取得されるような仕組みが考えられる。このような仕組みにより、利用者はボタンを押下するという一つのアクションのみによってコンテンツをダウンロードすることが可能であり便利である。このような場合、利用者等がダウンロードしたいコンテンツを視聴した瞬間と携帯端末装置のボタンを押下した瞬間との間にタイムラグが発生する。また、コンテンツは事前に録画されていたものが再生されてもよい。また、第一携帯端末装置にダウンロード時間の予約機能などがあれば、予約時間になったら自動的に要求情報出力部より要求情報を出力してコンテンツをダウンロードするような仕組みも考えられる。また、要求情報の送信は無線によってもよいし、有線によってもよい。Ｂｌｕｅｔｏｏｔｈ（登録商標）、赤外線等の短距離用通信方法によってもよい。また、公衆回線を介しての通信、ホームネットワーク等のＬＡＮを介しての通信であってもよい。要求情報の出力先は、第一携帯端末装置（０６１０）自身、コンテンツ提供者である放送局等、放送局等からコンテンツを受信して再生している装置等（例えば、デジタルテレビ、ＤＶＤプレーヤー、ビデオテープレコーダー等）が想定される。
【００１９】
（実施形態１：処理の流れ）図７は、本実施形態に係るコンテンツ利用システムにおける処理の流れを説明するシーケンス図を例示する。最初に、第一携帯端末装置にてコンテンツ情報を受信する。この処理は第一コンテンツ情報受信部によって実行される（コンテンツ情報受信ステップ  Ｓ０７１０）。次に、前記コンテンツ情報受信ステップ（Ｓ０７１０）にて受信されたコンテンツ情報に基づいてサービス利用要求情報を生成する。この処理は第一サービス利用要求情報出力部、又は図６のサービス利用要求情報生成手段（０６１４）によって実行される（サービス利用要求情報生成ステップ  Ｓ０７２０）。次に、前記サービス利用要求情報生成ステップ（Ｓ０７２０）にて生成されたサービス利用要求情報を送信する。この処理は第一サービス利用要求情報出力部、又は図６のサービス利用要求情報送信手段（０６１５）によって実行される（サービス利用要求情報送信ステップ  Ｓ０７３０）。次に、第一サービスサーバ装置にて、前記サービス利用要求情報送信ステップ（Ｓ０７３０）にて送信されたサービス利用要求情報を受信する。この処理はサービス可能化情報返信部、又は図６のサービス可能化情報受信手段（０６２２）によって実行される（サービス利用要求情報受信ステップ  Ｓ０７４０）。次に、前記サービス利用要求情報受信ステップ（Ｓ０７４０）にて受信されたサービス利用要求情報に基づいてサービス可能化情報を生成する。この処理はサービス可能化情報返信部、又は図６のサービス可能化情報生成手段（０６２３）によって実行される（サービス可能化情報生成ステップ  Ｓ０７５０）。次に、前記サービス可能化情報生成ステップ（Ｓ０７５０）にて生成されたサービス可能化情報を送信する。この処理はサービス可能化情報返信部、又は図６のサービス可能化情報送信手段（０６２４）によって実行される（サービス可能化情報送信ステップ  Ｓ０７６０）。次に、第一携帯端末装置にて、前記サービス可能化情報送信ステップ（Ｓ０７６０）にて送信されたサービス可能化情報を受信する。この処理は第一サービス処理実行部、又は図６のサービス可能化情報受信手段（０６１６）によって実行される（サービス可能化情報受信ステップ  Ｓ０７７０）。次に、前記サービス可能化情報受信ステップ（Ｓ０７７０）にて受信されたサービス可能化情報を利用してサービスを実行する。この処理は第一サービス処理実行部、又は図６のサービス処理実行手段（０６１７）によって実行される（サービス処理実行ステップ  Ｓ０７８０）。また、前記コンテンツ情報受信ステップ（Ｓ０７１０）の前に、第一携帯端末装置にて要求情報を出力する処理を行う場合がある。この場合、本ステップにて出力される要求情報に対する返信として、前記コンテンツ情報受信ステップ（Ｓ０７１０）にてコンテンツ情報が受信される。この処理は図６の要求情報出力部（０６１８）によって実行される（要求情報出力ステップ  Ｓ０７９０）。
【００２０】
以上の処理は、計算機に実行させるためのプログラムで実行することができ、また、このプログラムを計算機によって読み取り可能な記録媒体に記録することができる。（本明細書の全体を通して同様である。）
【００２１】
（実施形態１：効果）本実施形態に係るコンテンツ利用システムによれば、携帯端末装置にて受信したコンテンツ情報が受信しただけではサービスを実行できないような場合に、別途、サービスを実行するためのサービス可能化情報を受信してサービスを実行する機能を有する。これにより、コンテンツの権利保有者は携帯端末装置の利用者等がダウンロードしたコンテンツに対して使用の制限を行うことができる。また、コンテンツの付加情報に基づいて利用者等が携帯端末装置にダウンロードしたコンテンツを特定し、コンテンツを利用するための許可を取得させ、サービスを実行させることが可能である。また、利用者等が携帯端末装置のボタン等を押下するのみにより、好みのコンテンツをダウンロードすることが可能であるので便利である。
【００２２】
（実施形態２）（実施形態２：概要）本実施形態は、実施形態１のコンテンツ利用システムの機能に加えて、コンテンツ利用システムはさらにコンテンツ出力装置を含み、コンテンツ出力装置は第一携帯端末装置からの要求に応じてコンテンツ情報を出力する機能を有するコンテンツ利用システムに関する。
【００２３】
（実施形態２：構成）本実施形態に係るコンテンツ利用システムの機能ブロックを図８に例示する。コンテンツ利用システムは、第一携帯端末装置（０８１０）と、第一サービスサーバ装置（０８２０）と、コンテンツ出力装置（０８３０）とからなる。前記第一携帯端末装置（０８１０）と前記第一サービスサーバ装置（０８２０）、前記第一携帯端末装置（０８１０）と前記コンテンツ出力装置（０８３０）は、それぞれネットワークによって接続されている。ネットワークは無線でもよいし、有線でもよい。また、情報を送受信する際に直接に送受信しなくとも中継されてもよい。また、前記コンテンツ出力装置（０８３０）は、具体的にはデジタルテレビ、ＤＶＤプレーヤー、ビデオテープレコーダー等が該当する。前記第一携帯端末装置（０８１０）は、「第一コンテンツ情報受信部」（０８１１）と、「第一サービス利用要求情報出力部」（０８１２）と、「第一サービス処理実行部」（０８１３）を有する。また、前記第一サービスサーバ装置（０８２０）は、「サービス可能化情報返信部」（０８２１）を有する。また、前記コンテンツ出力装置（０８３０）は、「携帯端末用情報出力部」（０８３１）を有する。前記携帯端末用情報出力部（０８３１）以外の構成に関しては実施形態１に係るコンテンツ利用システムの構成と同様であるので、ここでの説明は省略する。
【００２４】
「携帯端末用情報出力部」（０８３１）は、前記第一携帯端末装置（０８１０）からの要求に応じてコンテンツ情報を前記第一携帯端末装置（０８１０）に出力する機能を有する。「第一携帯端末装置からの要求に応じて」とは、前記第一携帯端末装置（０８１０）からコンテンツ情報の出力要求を示す要求情報が前記コンテンツ出力装置（０８３０）に出力された場合に、携帯端末用情報出力部（０８３１）からコンテンツ情報を前記第一携帯端末装置（０８１０）に出力する、という意味である。コンテンツ情報は、実施形態１と同様に、コンテンツ信号のみを含んでいてもよいし、コンテンツ識別情報のみを含んでいてもよい。また、コンテンツ信号とコンテンツ識別情報の両方を含んでいてもよい。また、コンテンツ情報の出力先は前記第一携帯端末装置（０８１０）の前記第一コンテンツ情報受信部（０８１１）が想定される。
【００２５】
図９は、要求情報、コンテンツ情報の具体例を示す。第一携帯端末装置からコンテンツ出力装置に対してはコンテンツ情報の返信先として携帯端末装置自身を表す情報を送信すればよいので、携帯端末ＩＤ「Ａ４２８８１」などが送信される。コンテンツ出力装置は要求情報が送信されてきた瞬間に自身において再生しているシーンの画像を、コンテンツ情報として第一携帯端末装置に送信するようになっているとすると、例えば、コンテンツ信号「画像２７３１９５−４１２」とメタデータ「コンテンツＩＤ：２７３１９５、シーンＩＤ：４１２、番組名：ＸＸＸＸドラマ」等の情報を含んだコンテンツ情報が返信される。
【００２６】
図１０は、詳細な機能ブロックを例示する。第一携帯端末装置（１０１０）と第一サービスサーバ装置（１０２０）の各部は図６の第一携帯端末装置（０６１０）と第一サービスサーバ装置（０６２０）の各部と同様である。また、コンテンツ出力装置（１０３０）の１０３１は図８の０８３１と同様である。コンテンツ出力装置（１０３０）の携帯端末用情報出力部（１０３１）は、「要求情報受信手段」（１０３２）と「コンテンツ情報生成手段」（１０３３）と「コンテンツ情報送信手段」（１０３４）を含んでいてもよい。「要求情報受信手段」（１０３２）は、要求情報を外部から受信する機能を有する。要求情報の送信元は、主に前記第一携帯端末装置（１０１０）の要求情報出力部（１０１８）が想定されるが、これ以外の装置等から送信されても構わない。「コンテンツ情報生成手段」（１０３３）は、前記要求情報受信手段（１０３２）にて要求情報が受信された瞬間に後述の「コンテンツ出力部」（１０３５）にて出力されているコンテンツを取得し、コンテンツ情報を生成する機能を有する。「生成」とは、「コンテンツ出力部」（１０３５）にて出力されているコンテンツをコピーしてコンテンツ情報とする場合も含む。具体的には、出力されているコンテンツのコンテンツ信号とメタデータから画像データ、音声データ、メタデータ（又はメタデータの一部）等を取得し図９に例示したようなコンテンツ情報を生成する。「コンテンツ情報送信手段」（１０３４）は、前記コンテンツ情報生成手段（１０３３）にて生成されたコンテンツ情報を外部に出力する機能を有する。出力先は、主に前記第一携帯端末装置（１０１０）の第一コンテンツ情報受信部（１０１１）が想定される。また、コンテンツ出力装置は（１０３０）は、「コンテンツ出力部」（１０３５）を含んでいてもよい。「コンテンツ出力部」（１０３５）は、コンテンツを出力する機能を有する。「出力」とは、主に映像と音声によって再生したり、映像又は音声のみによって再生することを意味するが、コンテンツ出力装置（１０３０）内部で再生することでコンテンツ利用システムの利用者等は映像や音声を知覚しないような場合も含む。また、特定のシーンでランプ等が光ることで利用者等にダウンロードすべきシーンのタイミングを知らせるような仕組みになっていてもよい。
【００２７】
（実施形態２：処理の流れ）図１１は、本実施形態に係るコンテンツ利用システムにおける処理の流れを説明するシーケンス図を例示する。ステップＳ１１０１からステップＳ１１０９は図７に例示したフロー図のステップＳ０７１０からステップＳ０７９０と同様であるので、詳細な説明は省略する。最初に、第一携帯端末装置からコンテンツ出力装置に要求情報を出力する（要求情報出力ステップ  Ｓ１１０９）。次に、コンテンツ出力装置にて、前記要求情報出力ステップ（Ｓ１１０９）にて出力された要求情報を受信する。この処理は携帯端末情報出力部、又は図１０の要求情報受信手段（１０３２）によって実行される（要求情報受信ステップ  Ｓ１１１０）。次に、前記要求情報受信ステップ（Ｓ１１１０）にて受信された要求情報に基づいてコンテンツ情報を生成する。この処理は携帯端末情報出力部、又は図１０のコンテンツ情報生成手段（１０３３）によって実行される（コンテンツ情報生成ステップ  Ｓ１１１１）。次に、前記コンテンツ情報生成ステップ（Ｓ１１１１）にて生成されたコンテンツ情報を送信する。この処理は携帯端末情報出力部、又は図１０のコンテンツ情報送信手段（１０３４）によって実行される（コンテンツ情報送信ステップ  Ｓ１１１２）。次に、第一携帯端末装置にて、前記コンテンツ情報送信ステップ（Ｓ１１１２）にて送信されたコンテンツ情報を受信する（コンテンツ情報受信ステップ  Ｓ１１０１）。次に、前記コンテンツ情報受信ステップ（Ｓ１１０１）にて受信されたコンテンツ情報に基づいてサービス利用要求情報を生成する（サービス利用要求情報生成ステップ  Ｓ１１０２）。次に、前記サービス利用要求情報生成ステップ（Ｓ１１０２）にて生成されたサービス利用要求情報を送信する（サービス利用要求情報送信ステップ  Ｓ１１０３）。次に、第一サービスサーバ装置にて、前記サービス利用要求情報送信ステップ（Ｓ１１０３）にて送信されたサービス利用要求情報を受信する（サービス利用要求情報受信ステップ  Ｓ１１０４）。次に、前記サービス利用要求情報受信ステップ（Ｓ１１０４）にて受信されたサービス利用要求情報に基づいてサービス可能化情報を生成する（サービス可能化情報生成ステップ  Ｓ１１０５）。次に、前記サービス可能化情報生成ステップ（Ｓ１１０５）にて生成されたサービス可能化情報を送信する（サービス可能化情報送信ステップ  Ｓ１１０６）。次に、第一携帯端末装置にて、前記サービス可能化情報送信ステップ（Ｓ１１０６）にて送信されたサービス可能化情報を受信する（サービス可能化情報受信ステップ  Ｓ１１０７）。次に、前記サービス可能化情報受信ステップ（Ｓ１１０７）にて受信されたサービス可能化情報を利用してサービスを実行する（サービス処理実行ステップ  Ｓ１１０８）。
【００２８】
（実施形態２：効果）本実施形態に係るコンテンツ利用システムによれば、実施形態１の効果に加え、コンテンツ利用システムはコンテンツ出力装置をさらに有し、コンテンツ出力装置は第一携帯端末装置からの要求に応じてコンテンツ情報を第一携帯端末装置に出力する機能を有する。これにより、コンテンツ出力装置の利用者等は必要なコンテンツに関するコンテンツ情報の出力を、携帯電話等の携帯端末装置から要求することが可能であることから、携帯端末装置以外の出力装置で視聴したコンテンツを携帯端末で利用することが可能である。
【００２９】
（実施形態３）（実施形態３：概要）本実施形態は、実施形態１のコンテンツ利用システムの機能に加えて、第一携帯端末装置はコンテンツ情報に含まれるコンテンツ信号を再生出力する機能を有するコンテンツ利用システムに関する。
【００３０】
（実施形態３：構成）本実施形態に係るコンテンツ利用システムの機能ブロックを図１２に例示する。コンテンツ利用システムは、第一携帯端末装置（１２１０）と、第一サービスサーバ装置（１２２０）とからなる。前記第一携帯端末装置（１２１０）は、「第一コンテンツ情報受信部」（１２１１）と、「第一サービス利用要求情報出力部」（１２１２）と、「第一サービス処理実行部」（１２１３）と、「第一出力部」（１２１４）を有する。また、前記第一サービスサーバ装置（１２２０）は、「サービス可能化情報返信部」（１２２１）を有する。前記第一出力部（１２１４）以外の構成に関しては実施形態１に係るコンテンツ利用システムの構成と同様であるので、ここでの説明は省略する。また、詳細な機能ブロックは実施形態１の詳細な機能ブロック（図６）に前記第一出力部（１２１４）を含めた構成となる。
【００３１】
「第一出力部」（１２１４）は、コンテンツ情報に含まれるコンテンツ信号を再生出力する機能を有する。すなわち、本実施形態に係るコンテンツ利用システムにおいては、コンテンツ情報にコンテンツ信号が含まれることが前提である。つまり、図３の（Ｂ）のようにコンテンツ信号とコンテンツ識別情報の両方が含まれている場合、又はコンテンツ信号のみが含まれているである場合を想定している。第一出力部は、携帯電話等の画面やスピーカー等が該当する。「再生出力」とは、主に映像と音声によって再生したり、映像又は音声のみによって再生することを意味するが、前記第一携帯端末装置（１２１０）内部で再生することで前記第一携帯端末装置（１２１０）の利用者等は映像や音声を知覚しないような場合も含む。また、特定のシーンでランプ等が光ることで利用者等に好みのシーンのタイミングを知らせるような仕組みになっていてもよい。第一出力部の実施例としては、携帯電話等の画面やスピーカー等が該当する。画面やスピーカーの種類は問わない。また、利用者等は第一出力部でコンテンツを視聴しながら、ダウンロードしたいシーンが表示されたらボタンを押下する等により、図６の要求情報出力部（０６１８）によってコンテンツ情報の出力を要求することが可能である。
【００３２】
（実施形態３：処理の流れ）本実施形態に係るコンテンツ利用システムにおける処理は、実施形態１に係るコンテンツ利用システムにおける処理の他にコンテンツ信号の再生出力に関する処理が行われる。コンテンツ信号の再生出力に関する処理は、図７に例示したフロー図の前記コンテンツ情報受信ステップ（Ｓ０７１０）の後に、コンテンツの再生出力を行う。この処理は第一出力部によって実行される（コンテンツ再生出力ステップ）。
【００３３】
（実施形態３：効果）本実施形態に係るコンテンツ利用システムによれば、実施形態１の効果に加え、第一携帯端末装置はコンテンツ信号を再生出力する機能を有する。これにより、携帯端末装置の利用者等は携帯端末装置でコンテンツを視聴し、ダウンロードしたい場面（シーン）を特定することができる。また、コンテンツを視聴しながら好みのシーンを待受け画面や着信メロディに設定する等が可能である。
【００３４】
（実施形態４）（実施形態４：概要）本実施形態は、実施形態１のコンテンツ利用システムの機能に加えて、第一サービスサーバ装置はサービス利用要求情報に基づいて課金のための処理を行う機能を有し、課金のための処理が行われたことを条件としてサービス可能化情報を返信することを特徴とするコンテンツ利用システムに関する。
【００３５】
（実施形態４：構成）本実施形態に係るコンテンツ利用システムの機能ブロックを図１３に例示する。コンテンツ利用システムは、第一携帯端末装置（１３１０）と、第一サービスサーバ装置（１３２０）とからなる。前記第一携帯端末装置（１３１０）は、「第一コンテンツ情報受信部」（１３１１）と、「第一サービス利用要求情報出力部」（１３１２）と、「第一サービス処理実行部」（１３１３）を有する。また、前記第一サービスサーバ装置（１３２０）は、「サービス可能化情報返信部」（１３２１）と、「課金処理部」（１３２２）を有する。前記課金処理部（１３２２）以外の構成に関しては実施形態１に係るコンテンツ利用システムの構成と同様であるので、ここでの説明は省略する。また、詳細な機能ブロックは実施形態１の詳細な機能ブロック（図６）に前記課金処理部（１３２２）を含めた構成となる。
【００３６】
「課金処理部」（１３２２）は、サービス利用要求情報に基づいて課金のための処理を行う機能を有する。また、前記サービス可能化情報返信部（１３２１）は、課金処理部での課金のための処理が行われたことを条件としてサービス可能化情報を返信することを特徴とする。「課金のための処理」とは、具体的には、サービス利用要求情報に含まれているコンテンツＩＤや携帯端末ＩＤ等により、課金先を特定したり、課金料金の計算をおこなったりすることが想定される。また、課金のための処理を行う外部の機関に課金に関する情報を出力する機能を有していてもよい。外部の機関としては、コンテンツを提供している放送局や課金処理を代行している機関等が該当する。また、課金処理部にて課金のための処理ができない場合も考えられる。例えば、コンテンツの利用サービスが会員制になっていて、コンテンツを利用しようとしている利用者が会員になっていない、会員資格を失効している等の理由によりコンテンツの利用ができない場合が考えられる。このような場合には、例えば、前記第一携帯端末装置（１３１０）に対してサービスを利用できない旨の通知をする、会員登録のホームページのアドレスを通知して会員登録を勧める等の処理が考えられる。
【００３７】
図１４は、第一サービスサーバ装置における課金のための処理の一例を示す。サービス利用要求情報受信手段にて、第一携帯端末装置より「コンテンツＩＤ：２７３１９５、携帯端末ＩＤ：Ａ４２８８１」というサービス利用要求情報を受信したとすると、課金処理部にて、例えば、「携帯端末ＩＤ：Ａ４２８８１の携帯端末装置にコンテンツＩＤ：２７３１９５のコンテンツ使用料金３００円を課金」というような処理が行われる。さらに、このような情報を外部の装置等に出力するようになっていてもよい。次に、課金処理部にて課金のための処理が行われたことをトリガーとして、サービス可能化情報生成手段にて、例えば、「コンテンツ使用許可キー：ＧｗｘＰｚＫ」が生成され、サービス可能化情報送信手段にて第一携帯端末装置に送信される。
【００３８】
（実施形態４：処理の流れ）図１５は、本実施形態に係るコンテンツ利用システムにおける処理の流れを説明するシーケンス図を例示する。ステップＳ１５１０からステップＳ１５８０は図７に例示したフロー図のステップＳ０７１０からステップＳ０７９０と同様であるので、詳細な説明は省略する。最初に、第一携帯端末装置にてコンテンツ情報を受信する（コンテンツ情報受信ステップ  Ｓ１５１０）。次に、前記コンテンツ情報受信ステップ（Ｓ１５１０）にて受信されたコンテンツ情報に基づいてサービス利用要求情報を生成する（サービス利用要求情報生成ステップ  Ｓ１５２０）。次に、前記サービス利用要求情報生成ステップ（Ｓ１５２０）にて生成されたサービス利用要求情報を送信する（サービス利用要求情報送信ステップ  Ｓ１５３０）。次に、第一サービスサーバ装置にて、前記サービス利用要求情報送信ステップ（Ｓ１５３０）にて送信されたサービス利用要求情報を受信する（サービス利用要求情報受信ステップ  Ｓ１５４０）。次に、前記サービス利用要求情報受信ステップ（Ｓ１５４０）にて受信されたサービス利用要求情報に基づいて課金のための処理を行う。この処理は課金処理部によって実行される（課金処理ステップ  Ｓ１５９０）。次に、前記課金処理ステップ（Ｓ１５９０）にて課金のための処理が行われたことをトリガーとして、前記サービス利用要求情報受信ステップ（Ｓ１５４０）にて受信されたサービス利用要求情報に基づいてサービス可能化情報を生成する（サービス可能化情報生成ステップ  Ｓ１５５０）。次に、前記サービス可能化情報生成ステップ（Ｓ１５５０）にて生成されたサービス可能化情報を送信する（サービス可能化情報送信ステップ  Ｓ１５６０）。次に、第一携帯端末装置にて、前記サービス可能化情報送信ステップ（Ｓ１５６０）にて送信されたサービス可能化情報を受信する（サービス可能化情報受信ステップ  Ｓ１５７０）。次に、前記サービス可能化情報受信ステップ（Ｓ１５７０）にて受信されたサービス可能化情報を利用してサービスを実行する（サービス処理実行ステップ  Ｓ１５８０）。
【００３９】
（実施形態４：効果）本実施形態に係るコンテンツ利用システムによれば、実施形態１の効果に加え、サービス利用要求情報に基づいて課金のための処理が行われたことを条件としてサービス可能化情報を返信する機能を有する。これにより、コンテンツの使用に関する著作権の問題等を解決することができる。また、課金に関する情報を放送局等の課金のための処理を行う外部の機関に出力することも可能なので、コンテンツの視聴料金等と共に利用者に料金請求等を行うことが可能であり、コンテンツの利用者にとっても料金を二度に分けて支払う手間が省けるので便利である。
【００４０】
（実施形態５）（実施形態５：概要）本実施形態は、実施形態４のコンテンツ利用システムの機能に加えて、サービス利用要求情報出力部はサービス利用要求情報にコンテンツ識別情報を含ませ、サービス可能化情報返信部はサービス利用要求情報に含まれるコンテンツ識別情報に基づき特定されるコンテンツ信号と時間的に近いコンテンツ信号を、サービス可能化情報に含ませることを特徴とするコンテンツ利用システムに関する。
【００４１】
（実施形態５：構成）本実施形態に係るコンテンツ利用システムの構成は、実施形態３に係るコンテンツ利用システムの構成と同様であるので、ここでの説明は省略する。また、詳細な機能ブロックは実施形態３の詳細な機能ブロックと同様である。ただし、前記サービス利用要求情報出力部は、前記サービス利用要求情報に第一出力部によって再生出力されるコンテンツ信号に同期するコンテンツ識別情報を含ませることを特徴とする。すなわち、第一コンテンツ情報受信部において受信されるコンテンツ情報にコンテンツ信号とコンテンツ識別情報が含まれていることが前提である。また、サービス可能化情報返信部は、サービス利用要求情報に含まれるコンテンツ識別情報に基づき特定されるコンテンツ信号と時間的に近いコンテンツ信号を、所定のサービスを実行するために用いられるコンテンツ信号としてサービス可能化情報に含ませることを特徴とする。「コンテンツ識別情報に基づき特定されるコンテンツ信号と時間的に近いコンテンツ信号」とは、例えば、メタデータに含まれるコンテンツＩＤで特定される映像の前後０．５秒前、１．０秒前、１．５秒後、２．０秒後の映像等を意味する。また、例えば、メタデータに含まれるコンテンツＩＤで特定される映像が、メタデータの内容により歌手Ａが出演しているものであることが分かれば、前後の映像で歌手Ａが出演している映像だけを選択するようになっていてもよい。このような仕組みにより、利用者の好みに合うコンテンツを提供することが可能である。さらに、利用者の嗜好を事前に調査しておくことで、メタデータの内容から抽出される出演者、出演者の衣装、撮影地等の情報から、より利用者の好みに合う映像を選択して提供するようなことも可能である。このように、複数の映像を一つのパッケージにしてコンテンツ信号としてサービス可能化情報に含ませて第一携帯端末装置に返信する。すなわち、コンテンツが動画や音楽等、時間の経過と共に変化するものであることが前提である。また、スライドショーのように複数の静止画を時間と共に切替えて表示するようなものであってもよい。
【００４２】
図１６は、サービス可能化情報に含ませるコンテンツ信号の一例を示す。１６１０から１６１４は、第一携帯端末装置（１６２０）にて再生出力されたコンテンツ信号で、０．５秒ごとの映像である。１６１０の映像がコンテンツ識別情報で識別される映像であるとする。例えば、第一携帯端末装置（１６２０）の利用者（１６３０）が、１６１１の映像を見た瞬間に「この場面を壁紙に設定したい」と思い、実際に第一携帯端末装置（１６２０）のボタンを押下してダウンロードの要求をしたのが１．０秒後であり、その瞬間に再生されていた映像が１６１０であったとする。このような場合、サービス利用要求情報に含まれるコンテンツ識別情報は１６１０のコンテンツ識別情報であり、サービス可能化情報に含まれるコンテンツ信号は１６１１から１６１４のコンテンツ信号となる。また、本例においては特定されるコンテンツの前後１．０秒間のコンテンツを選択しているが、例えば、前後２．０秒間のコンテンツが選択されるようになっていてもよい。また、０．５秒毎のコンテンツでなくとも、例えば、１．０秒ごとのコンテンツが選択されるようになっていてもよい。また、特定されるコンテンツの前の映像である１６１１、１６１２、１６１０のみが選択されるようになっていてもよい。このように、第一携帯端末装置の利用者等がダウンロードしたいと思った瞬間と実際にボタンを押下する等してダウンロードの要求をするまでにはタイムラグがあるので、時間的に近いコンテンツ信号をまとめて第一携帯端末装置に返信することで、利用者等が本当に欲しいと思った映像等を利用させることができる。
【００４３】
（実施形態５：処理の流れ）本実施形態に係るコンテンツ利用システムにおける処理の流れは、実施形態３に係るコンテンツ利用システムの処理の流れと同様であるので、ここでの説明は省略する。
【００４４】
（実施形態５：効果）本実施形態に係るコンテンツ利用システムによれば、実施形態３の効果に加え、サービス利用要求情報に含まれるコンテンツ識別情報に基づき特定されるコンテンツ信号と時間的に近いコンテンツ信号を、所定のサービスを実行するために用いられるコンテンツ信号としてサービス可能化情報に含ませる機能を有する。これにより、コンテンツ利用システムの利用者等が映像を視聴して携帯端末装置のボタンを押下等するまでのタイムラグを考慮して、利用者等が本当にダウンロードしたいと思ったコンテンツを提供することができる。また、事前に利用者等の嗜好情報を収集しておくことで、より利用者等の嗜好に合ったコンテンツを提供することが可能である。
【００４５】
（実施形態６）（実施形態６：概要）本実施形態は、コンテンツ情報を受信し、受信したコンテンツ情報によりサービスを実行可能とする情報を取得するための機能を有する携帯端末装置に関する。
【００４６】
（実施形態６：構成）本実施形態に係る第二携帯端末装置の機能ブロックを図１７に例示する。第二携帯端末装置（１７００）は、主に携帯電話を想定しているが、ＰＤＡのように携帯可能な端末であればよい。第二携帯端末装置（１７００）は、「第二コンテンツ情報受信部」（１７０１）と、「第二サービス利用要求情報出力部」（１７０２）と、「第二サービス処理実行部」（１７０３）と、「第二出力部」（１７０４）を有する。各部の機能は、実施形態３に係る第一携帯端末装置の各部の機能と同様である。つまり、前記第二コンテンツ情報受信部（１７０１）は前記第一コンテンツ情報受信部（１２１１）と、前記第二サービス利用要求情報出力部（１７０２）は前記第一サービス利用要求情報出力部（１２１２）と、前記第二サービス処理実行部（１７０３）は前記第一サービス処理実行部（１２１３）と、前記第二出力部（１７０４）は前記第一出力部（１２１４）と、それぞれ機能が同様である。また、詳細な機能ブロックは実施形態３の詳細な機能ブロックと同様である。つまり、前記第二携帯端末装置（１７００）の前記第二サービス利用要求情報出力部（１７０２）は、前記サービス利用要求情報生成手段（０６１４）と前記サービス利用要求情報送信手段（０６１５）を含んでいてもよい。また、前記第二サービス処理実行部（１２１３）は、前記サービス可能化情報受信手段（０６１６）と前記サービス処理実行手段（０６１７）を含んでいてもよい。また、前記第二携帯端末装置（１７００）は前記要求情報出力部（０６１８）を含んでいてもよい。各部、各手段の機能は実施形態３に詳述した機能と同様であるので、ここでの説明は省略する。
【００４７】
（実施形態６：処理の流れ）図１８、図１９は、本実施形態に係る第二携帯端末装置における処理の流れを説明するフロー図を例示する。
【００４８】
図１８は、サービス利用要求情報の送信に関する処理の流れを例示する。最初に、要求情報を出力する。この処理は詳細な機能ブロックの要求情報出力部によって実行される（要求情報出力ステップ  Ｓ１８１０）。次に、前記要求情報出力ステップ（Ｓ１８１０）にて出力される要求情報に対する返信としてコンテンツ情報を受信する。この処理は第二コンテンツ情報受信部によって実行される（コンテンツ情報受信ステップ  Ｓ１８２０）。次に、前記コンテンツ情報受信ステップ（Ｓ１８２０）にて受信されたコンテンツ情報に基づいてサービス利用要求情報を生成する。この処理は第二サービス利用要求情報出力部、又は詳細な機能ブロックのサービス利用要求情報生成手段によって実行される（サービス利用要求情報生成ステップ  Ｓ１８３０）。次に、前記サービス利用要求情報生成ステップ（Ｓ１８３０）にて生成されたサービス利用要求情報を送信する。この処理は第一サービス利用要求情報出力部、又は詳細な機能ブロックのサービス利用要求情報送信手段によって実行される（サービス利用要求情報送信ステップ  Ｓ１８４０）。
【００４９】
図１９は、サービス可能化情報の受信に関する処理の流れを例示する。最初に、サービス可能化情報を受信する。この処理は第二サービス処理実行部、又は詳細な機能ブロックのサービス可能化情報受信手段によって実行される（サービス可能化情報受信ステップ  Ｓ１９１０）。次に、前記サービス可能化情報受信ステップ（Ｓ１９１０）にて受信されたサービス可能化情報を利用してサービスを実行する。この処理は第二サービス処理実行部、又は詳細な機能ブロックのサービス処理実行手段によって実行される（サービス処理実行ステップ  Ｓ１９２０）。
【００５０】
（実施形態６：効果）本実施形態に係る第二携帯端末装置によれば、携帯端末装置にて受信したコンテンツ情報が受信しただけではサービスを実行できないような場合に、別途、サービスを実行するためのサービス可能化情報を受信してサービスを実行する機能を有する。これにより、コンテンツの権利保有者は携帯端末装置の利用者等がダウンロードしたコンテンツに対して使用の制限を行い、コンテンツに含まれる情報に基づいてコンテンツを特定し、コンテンツを利用するための許可を取得させることが可能である。
【図面の簡単な説明】
【００５１】
【図１】発明の概念構成を示す図
【図２】実施形態１に係るコンテンツ利用システムの機能ブロック図
【図３】コンテンツ情報、サービス利用要求情報、サービス可能化情報の一例
【図４】コンテンツ情報、サービス利用要求情報、サービス可能化情報の一例
【図５】コンテンツ情報、サービス利用要求情報、サービス可能化情報の一例
【図６】実施形態１に係るコンテンツ利用システムの詳細な機能ブロック図
【図７】実施形態１に係るコンテンツ利用システムの処理の流れを説明するシーケンス図
【図８】実施形態２に係るコンテンツ利用システムの機能ブロック図
【図９】要求情報、コンテンツ情報の一例
【図１０】実施形態２に係るコンテンツ利用システムの詳細な機能ブロック図
【図１１】実施形態２に係るコンテンツ利用システムの処理の流れを説明するシーケンス図
【図１２】実施形態３に係るコンテンツ利用システムの機能ブロック図
【図１３】実施形態４に係るコンテンツ利用システムの機能ブロック図
【図１４】課金のための処理の一例
【図１５】実施形態４に係るコンテンツ利用システムの処理の流れを説明するシーケンス図
【図１６】コンテンツ信号の一例
【図１７】実施形態６に係るコンテンツ利用システムの機能ブロック図
【図１８】実施形態６に係るコンテンツ利用システムの処理の流れを説明するフロー図
【図１９】実施形態６に係るコンテンツ利用システムの処理の流れを説明するフロー図
【符号の説明】
【００５２】
０１１０    携帯端末装置
０１２０    サービスサーバ装置
０１３０    コンテンツ出力装置
【図１】
2006121539.tif 000003
【図２】
2006121539.tif 000004
【図３】
2006121539.tif 000005
【図４】
2006121539.tif 000006
【図５】
2006121539.tif 000007
【図６】
2006121539.tif 000008
【図７】
2006121539.tif 000009
【図８】
2006121539.tif 000010
【図９】
2006121539.tif 000011
【図１０】
2006121539.tif 000012
【図１１】
2006121539.tif 000013
【図１２】
2006121539.tif 000014
【図１３】
2006121539.tif 000015
【図１４】
2006121539.tif 000016
【図１５】
2006121539.tif 000017
【図１６】
2006121539.tif 000018
【図１７】
2006121539.tif 000019
【図１８】
2006121539.tif 000020
【図１９】
2006121539.tif 000021